(57)【特許請求の範囲】
【請求項１】
２以上の同軸の通路（２、６）を有するバーナー（１）の排出端部を保護するための前面部（２１）の製造方法であって、前記前面部が、バーナーの排出端部に対応する中央開口部（２３）と、１以上のバッフル（２６）によって間隔をおいて配置された前側壁（２４）と後側壁（２５）とを備え、前記バッフル（２６）が、冷却液入口（３０）を備える第一端部と冷却液排出口（３１）をもつ第二端部を備える冷却流液路を形成し、前側壁（２４）と前記１以上のバッフル（２６）が１つの金属製部品から作られ、後側壁（２５）が前記１以上のバッフル（２６）の固定されていない先端部に溶接され、前記バーナーがさらに円形接続部（１１）を有し、ここで前記バーナー（１）が、縦方向軸に沿って配置された円筒状内壁（３）により形成される円筒状中央通路（２）を備え、前記円筒状中央通路（２）が燃料気体を燃焼ゾーンに供給するための排出口（４）を有し、ここで円筒状外壁（５）が同心で内壁（３）の周りに配置されており、内壁（３）及び外壁（５）は二層壁上流部分（３Ａ及び５Ａ）および一層壁下流部分（３Ｂ及び５Ｂ）を有し、外壁（３）及び内壁（５）により、酸素含有気体を供給するための環状同軸通路（６）が形成され、さらに内通路壁部（３Ａ及び３Ｂ）及び外通路壁部（５Ａ及び５Ｂ）は、円形接続部（１１）に溶接され、二層壁上流部分（３Ａ及び５Ａ）が円形接続部（１１）の上流側に配置され、一層壁下流部分（３Ｂ及び５Ｂ）が円形接続部（１１）の下流側に配置され；内通路壁部（３Ａ及び３Ｂ）が二層壁上流部分（３Ａ及び５Ａ）の内壁部分（３Ａ）と一層壁下流部分（３Ｂ及び５Ｂ）の内壁部分（３Ｂ）により形成され、外通路壁部（５Ａ及び５Ｂ）は二層壁上流部分（３Ａ及び５Ａ）の外壁部分（５Ａ）と一層壁下流部分（３Ｂ及び５Ｂ）の外壁部分（５Ｂ）により形成される、前記製造方法。
【請求項２】
３以上の同心のバッフル（２６）が同心の流路部分（２７）を形成し、これらの流路部分（２７）の少なくとも１つが、内部バッフルの中断部（２９）のすぐ後の内部及び外部バッフルにかかる隔壁２８によって閉鎖される、請求項１に記載の方法。
【請求項３】
後側壁（２５）が、同心の流路部分に対応するセグメントによって作られる、請求項２に記載の方法。
【請求項４】
少なくとも前壁（２４）が、鉄と４５〜６０重量％のニッケルを含有する合金鋼によって作られる、請求項１〜３のいずれか一項に記載の方法。
【請求項５】
前記合金鋼がさらに１７〜２５重量％のクロムを含有する請求項４に記載の方法。
【請求項６】
前記合金鋼が４〜６重量％のニオブを含有する請求項４または５に記載の方法。
【請求項７】
前記合金鋼が２〜４重量％のモリブデンを含有する請求項４、５または６に記載の方法。
【請求項８】
前記合金鋼が、チタン、アルミニウム、コバルト、炭素、マンガン、ケイ素、リン、硫黄、ホウ素及び銅からなる群の少なくとも一つの成分を、１成分あたり０．００４〜１．３重量％の量にて含有する、請求項４〜７のいずれか一項に記載の方法。
【請求項９】
前面部（２１）がＵＮＳ Ｎ０７７１８の鋼から作られる請求項１〜８のいずれか一項に記載の方法。
【請求項１０】
溶接後、前面部（２１）に析出硬化処理を行う、請求項１〜９のいずれか一項に記載の方法。
【請求項１１】
析出硬化処理前に前面部（２１）に溶化アニール処理を行う、請求項１０に記載の方法。
【請求項１２】
請求項１〜１１のいずれか一項によって製造された前面部（２１）を備える、気体運搬炭素燃料の部分燃焼のためのバーナー（１）。
【発明の詳細な説明】
【技術分野】
【０００１】
本発明は、２以上の同軸の通路を有するバーナーの排出端部を保護するための前面部の製造方法に関するものであり、この前面部は、バーナーの排出端部に対応する中央開口部と、１以上のバッフルにより一定間隔に配置された前側壁と後側壁とを備え、冷却液入口を備えた第一端部と冷却液排出口を持つ第二端部と共に冷却液流路を定める。
【背景技術】
【０００２】
この前面部は、例えば加圧合成ガス、燃料ガス又は還元ガスを製造するために酸素含有ガスを用いて、ガスにより搬送される微細固体燃料などの炭素質燃料（例えば、窒素ガス又は二酸化炭素などの搬送ガスにより搬送される微粉炭）の部分燃焼に使用されるバーナーを保護するのに特に有用である。
【０００３】
固体炭素質燃料の部分燃焼（ガス化ともいう）は、燃料と酸素の反応により行われる。燃料は可燃性の成分として主に炭素と水素を含む。ガス搬送の微細炭素質燃料と酸素含有ガスとが、相対的に高い速度にてバーナー内の別々の通路を通って反応器に送られる。反応器内では、燃料が１３００℃より高い温度にて酸素含有ガス中の酸素と反応して一酸化炭素と水素を主に形成するように、火炎が維持される。
【０００４】
ここで用いられている「酸素含有ガス」とは、遊離酸素Ｏ２を含有したガスをいい、空気、酸素に富んだ空気、すなわち２１モル％より多い酸素、及び実質的に純粋な酸素、すなわち約９５モル％より多い酸素を含み、残りは窒素などの空気中に通常見いだされるガス、及び／又は希ガスを含む。
【０００５】
ここで用いられる「固体炭素質燃料」という用語は、ガスに搬送される種々の可燃性物質、及び石炭、石炭からのコークス、石炭液化残留物、石油コークス、煤、バイオマス、及びオイルシェール、タールサンド及びピッチから得られる粒子状固体の群からの混合物を含む。石炭は亜炭、亜ビチューメン、ビチューメン及び無煙炭を含めて任意の種類にし得る。好ましくは、固体炭素質燃料は、少なくとも約９０重量％の物質が９０ミクロン未満となりかつ水分含有量が約５重量％未満となるように、粒子サイズが砕かれる。
【０００６】
ＵＳ−Ａ−４，８８７，９６２及びＵＳ−Ａ−４，８６５，５４２はこのような部分燃焼プロセスのためのバーナーを開示する。バーナーは、燃料を燃焼ゾーンに供給するための出口を有する中央通路と、中央通路の出口を取り囲むと共に中央通路の出口からの固体燃料の流れと交差し混合する酸素含有ガスを供給するための出口を有する同軸環状通路とを備える。バーナーはさらに、バーナーの放出端部に配置された前面部を備える。前面部は中央開口を有し、これを通って燃料と酸素含有ガスとが燃焼ゾーンに流れる。前面部は、バーナーの排出端部に対応する中央開口部と、らせん状バッフルによって一定間隔に配置された前側壁と後側壁を備える二層壁部材であり、らせん状バッフルが、冷却液供給導管に作動結合する第一端部及び冷却液排出導管に作動結合する出口をもつ第二端部をもつらせん状流路を定める。
【０００７】
排出端部では、燃焼温度は１３００℃もしくはそれ以上の高温になり得る。これは、長期の動作中に特に疲労応力によって、バーナーの熱応力や劣化を引き起こし、最終的に冷却液の漏れを発生させる可能性がある。その上、動作間にバーナーの先端は同様に高い機械的圧力負荷を受けている。
【発明の概要】
【発明が解決しようとする課題】
【０００８】
本発明の一つの目的は、前面部構造が高い機械強度と最大限に利用した熱散逸が釣り合っている状態にさせる前面部の製造方法を提供することである。
【課題を解決するための手段】
【０００９】
本明細書の開示には以下の発明が包含される。
［１］２以上の同軸の通路（２、６）を有するバーナー（１）の排出端部を保護するための前面部（２１）の製造方法であって、前記前面部が、バーナーの排出端部に対応する中央開口部（２３）と、１以上のバッフル（２６）によって間隔をおいて配置された前側壁（２４）と後側壁（２５）とを備え、前記バッフル（２６）が、冷却液入口（３０）を備える第一端部と冷却液排出口（３１）をもつ第二端部を備える冷却流液路を形成し、前側壁（２４）と前記１以上のバッフル（２６）が１つの金属製部品から作られ、後側壁（２５）が前記１以上のバッフル（２６）の固定されていない先端部に溶接される、前記製造方法。
［２］３以上の同心のバッフル（２６）が同心の流路部分（２７）を形成し、これらの流路部分（２７）の少なくとも１つが、内部バッフルの中断部（２９）のすぐ後の内部及び外部バッフルにかかる隔壁２８によって閉鎖される、［１］に記載の方法。
［３］後側壁（２５）が、同心の流路部分に対応するセグメントによって作られる、［２］に記載の方法。
［４］少なくとも前壁（２４）が、鉄と４５〜６０重量％のニッケルを含有する合金鋼によって作られる、［１］〜［３］のいずれかに記載の方法。
［５］前記合金鋼がさらに１７〜２５重量％のクロムを含有する［４］に記載の方法。
［６］前記合金鋼が４〜６重量％のニオブを含有する［４］または［５］に記載の方法。
［７］前記合金鋼が２〜４重量％のモリブデンを含有する［４］、［５］または［６］に記載の方法。
［８］前記合金鋼が、チタン、アルミニウム、コバルト、炭素、マンガン、ケイ素、リン、硫黄、ホウ素及び銅からなる群の少なくとも一つの成分を、１成分あたり０．００４〜１．３重量％の量にて含有する、［４］〜［７］のいずれかに記載の方法。
［９］前面部（２１）がＵＮＳ Ｎ０７７１８の鋼から作られる［１］〜［８］のいずれかに記載の方法。
［１０］溶接後、前面部（２１）に析出硬化処理を行う、［１］〜［９］のいずれかに記載の方法。
［１１］析出硬化処理前に前面部（２１）に溶化アニール処理を行う、［１０］に記載の方法。
［１２］［１］〜［１１］のいずれかによって製造された前面部（２１）を備える、気体運搬炭素燃料の部分燃焼のためのバーナー（１）。
発明の目的は、前側壁と１以上のバッフルが１つの金属製部品から機械加工され、後側壁が接触表面に向かい合う表面から後側壁をバッフル先端部に溶接することにより１以上のバッフルの固定されていない先端に溶接されている、バーナーの排出端部を保護するための前面部の製造方法によって達成されている。バッフルと前壁を一部品から作ることにより、構造体の機械的強度は最大限に利用することができ、熱伝達を改良したより薄い壁の使用を可能にした。前面部の前壁は溶接する箇所は自由に作ってもよい。適当な機械加工方法は例えば、フライス削り、放電加工、電気排出機械加工などである。
【００１０】
バッフルは例えば、ＵＳ−Ａ−４，８８７，９６２に記載のように、らせん状流路を定める一つの単独のらせん状バッフルであってもよい。らせん状流路は同様に、同心の通路部分が、内部バッフルの中の遮断物のすぐ後の内部と外部バッフルにかかる隔壁によってふさがれたこれらの通路部分の少なくとも一つとなる、３以上の同心バッフルの集合の使用により現実化することができ、このように前面部中央により近い次の同心通路部分へと流路を導く。前述の方法は、おおよそらせん状に近い流路を創作する。２もしくは３の数の同心の流路部分は、単に制限された圧力落下と効果的な熱散逸を起こすことがわかった。しかし、同心の部分の数は同様に、所望により、より高くすることができる。
【００１１】
前面部は前側壁と後側壁間の間隔を閉鎖する円周壁を持ってもよい。円周壁は例えば、流路となるらせん状バッフルの延長であってもよい。
【００１２】
バッフルともつ前壁と、場合によっては後側壁とを製造するのに適した鋼の種類は、４５〜６０重量％のニッケル及び任意に１７〜２５重量％のクロムを含有する合金鋼である。Ｓｐｅｃｉａｌ  Ｍｅｔａｌｓ  Ｃｏｒｐｏｒａｔｉｏｎの商業用Ｉｎｃｏｎｅｌ（登録商標）７１８、ＴｈｙｓｓｅｎｋｒｕｐｐのＮｉｃｒｏｆｅｒ（登録商標）５２１９、ＡｌｌｖａｃのＡｌｌｖａｃ（登録商標）７１８、Ｈａｙｎｅｓ  ＩｎｔｅｒｎａｔｉｏｎａｌのＨａｙｎｅｓ（登録商標）７１８及びＡｌｌｅｇｈｅｎｙ  ＬｕｄｌｕｍのＡｌｔｅｍｐ（登録商標）７１８のような、米国標準ＵＮＳ  Ｎ０７７１８（独国標準Ｗ．Ｎｒ．  ２．４６６８）による鋼の種類が特に適当である。当該ニッケルクロム鋼は、高い耐食性と共に高い伸張強度を兼ね備えるだけでなく、同様に優れた熱伝導度も示すことが分かっている。特に、クロム含有量は耐食性と対硫化性を改良する。
【００１３】
合金鋼は例えば４〜６重量％のニオブと、及び／又は２〜４重量％のモリブデンと、及び／又はチタン、アルミニウム、コバルト、炭素、マンガン、ケイ素、リン、硫黄、ホウ素及び銅の群の少なくとも１要素を、１要素あたり０．００４〜１．３重量％の量にて含有してもよい。特に、ニオブ、アルミニウム及びチタンの使用は機械的特性を改良させることができる。その組成は主に鉄と１００％の均衡がとられる。
【００１４】
機械的特性を改良するため、前面部は好ましくは析出硬化処理もしくは時効硬化を受けさせる。これは例えば固定されていないバッフル先端部に後側壁を溶接した後に行うことができる。その上、特に、ニッケル合金鋼がニオブのような炭化物形成構成要素を含有して使われることにより、前面部は、例えば析出硬化が行われる前及び溶接後に溶化アニール処理を受けさせることができる。前面部は例えば、９００〜１０００℃で溶化アニール処理をして、さらに急冷却（例、水中）して、８時間７２０℃で析出硬化処理をした後、１８時間の総時効時間に６２０℃まで炉冷し、引き続き空気冷却を受けさせることができる。あるいは、前面部は１０００〜１１５０℃で溶化アニール処理をして急冷却（例、水中）を行った後、１０時間７６０℃にて析出硬化処理をして、さらに２０時間の総時効時間に６５０℃まで炉冷し、引き続き空気冷却を受けさせることができる。
【００１５】
本発明は高い熱流束に持ちこたえられる薄い壁の構造体を使用できるようにしている。前面部の前側壁前面部は０．５〜３ｍｍの薄さであってもよい。動作中の冷却液による内部圧力のために、冷却液流路を規定するバッフルは十分な伸張強度を持つべきである。バッフルの全体の長さに応じて、バッフルは例えば０．５〜３ｍｍの薄さをもつことができる。
【００１６】
本発明は、さらに上記に記載された方法の任意の一つによって製造された前面部を備えた、気体が運搬した炭素燃料の部分燃焼のためのバーナーに関する。
【図面の簡単な説明】
【００１７】
本発明は、添付の図面を参照の例をして、より詳細に記述される。
【図１】本発明によって製造された前面部を備えるバーナーの縦方向断面を示す。
【図２】図１に記載のバーナーの前面部の断面の詳細を示す。
【図３】図２に記載の前面部のバッフルを持つ前壁の背面図を示す。
【発明を実施するための形態】
【００１８】
図１は、窒素または二酸化炭素気体に乗って運ばれる粉状石炭のような炭素燃料の部分燃焼のための円筒形バーナー１を、縦方向断面で示している。バーナー１は、縦方向軸に沿って配置された円筒形内壁３によって形成され、燃料気体を燃焼ゾーンに供給する排出口４を持つ円筒状中央通路２を備える。同心で内壁３の周りに配置されているのは円筒状外壁５である。特定の態様では、内壁３及び外壁５は、二層壁上流部分３Ａ及び５Ｂと一層壁下流部分３Ｂ及び５Ｂをもつ。内壁３及び外壁５は、酸素含有気体を供給する環状同軸通路６を形成する。同軸通路６は、流動方向で収束して酸素含有気体の燃焼ゾーンへの流入のための出口を形成する排出端部７をもつ。
【００１９】
内壁３は一定の内部直径をもつ。下流壁部分３Ｂは、この特定の態様である三角形断面をもつ環状のふくらみをもつように拡大し排出口４に向けて傾斜する外部直径をもつ円錐形に拡大した部分８を備える。外壁５Ｂの下流部分は、流動方向に収束性の円錐形端部９を備えた円筒を形成する。下流内壁部分３Ｂのふくらんでいる部分８と下流外壁部分５Ｂの円錐形端部９は、環状の等しい幅をもつすき間１０を形成し、そこで、部分８は排出口４の方向に減少する直径をもつ。この環状のすき間１０は、同軸の通路６の排出口７を形成する。
【００２０】
内通路壁部３Ａ、３Ｂ及び外通路壁部５Ａ、５Ｂは、円形接続部１１に溶接される。円形接続部１１は、同軸通路６の上流部分から下流部分を通る流れを可能にする開口部１２の同心円形配置と、中央通路２と一列に並ぶ中央開口部１３を提供する。開口部１２の間で、接続部１１は内壁３及び外壁５にかかる。
【００２１】
同軸通路６は、接続部１１の上流側の上流部分１４Ａと接続部１１の下流側の下流部分１４Ｂをもつ冷却ジャケット１４によって包まれている。二つの同軸の外枠１５Ａ及び１６Ａは接続部１１の上流側に溶接され、二つの同軸の区画室である内部区画室１７Ａ及び外部区画室１８Ａを形成する。
【００２２】
冷却ジャケット１４Ｂの下流部分は上流内部外枠１５Ａの下流延長部分を形成する内部ジャケット壁１５Ｂと、上流外枠１６Ａの下流延長部分を形成する外部ジャケット壁１６Ｂを備える。ジャケット壁１５Ｂ及び１６Ｂの間の空間１８Ｂは上流冷却ジャケット区画室１８Ａの下流延長部分を形成し、バッフル１９によってらせん状通路に分けられる。内部ジャケット壁１５Ｂと外壁部分５Ｂの間の空間１７Ｂは上流内部区画室１７Ａの下流延長部分を形成する。接続部１１は、下流冷却ジャケット区画室１７Ｂ及び１８Ｂをそれぞれ持つ上流冷却ジャケット区画室１７Ａ及び１８Ａに連結している開口部２０の二つの同心円形配置を有する。
【００２３】
冷却ジャケット部分１４Ｂの下流で、二層壁前面部２１は冷却ジャケット壁１５Ｂ及び１６Ｂに直角で配置されている。前面部２１は中央開口部２３となり、同軸通路外壁５Ｂの外部縁に隣接する内部縁２２を備える。前面部２１は、上流冷却ジャケット部１４Ａの外部直径よりも小さい外部直径をもつ。流動方向では、下流冷却ジャケット部１４Ｂは上流冷却ジャケット外枠１４Ａと同じ外部直径から、前面部２１の外部直径まで次第に減っていく。
【００２４】
図１に記載のバーナー１は、基本的には円筒形である。接続部１１は、冷却ジャケットの外部直径に対応する直径の円形部である。開口部１２及び２０は、中央開口部１３と同心である円形配置を形成する。
【００２５】
図２は、前面部２１と一列に並ぶ中央通路２の排出端部となる内部壁部分３Ｂの外部先端をより詳細な断面で示す。前面部２１は環状のすき間１０を定める円錐形端部９の外部縁に溶接されている。二層壁前面部２１は、同心の流路部分２７を定める同心のバッフル２６によって一定間隔に配置された下流前壁２４と後側壁２５をもつ。図３で示される通り、流路部分２７のそれぞれは、内部バッフルの中断部２９のすぐ後の内部及び外部バッフル２６にかかる隔壁２８によってふさがれる。このようにバッフル２６がらせん状流路を定める。この流路は、冷却液排出口３１を経由して、下流冷却ジャケット区画室１８Ｂに開放連結している。前面部２１の開口部２３の近くに、前面部２１の前側壁２４と後側壁２５の間の冷却液流路は、前面部後側壁２５の冷却液入口３０を経由して、下流冷却ジャケット区画室１７Ｂに開放連結している。
【００２６】
上流内部冷却ジャケット区画室１７Ａは、流動体の冷却液の供給口に連結している。冷却液は、内部冷却ジャケット区画室１７Ａから、接続部１１の開口部２０、下流区画室１７Ｂ、冷却液入口３０、前面部２１の流路部分２７、冷却液排出口３１、外部冷却ジャケット区画室１８Ｂ、接続部１１の開口部２０及び外部区画室１８Ａを経由して、冷却液排出口へ流動する。円周端部壁３２は、前面部２１の前壁２４及び後側壁２５の間の空間を閉鎖している。
【００２７】
前側壁２４、同心バッフル２６及び円周壁３２は、ニッケルクロム合金鋼の一片から機械加工されている。後側壁２５は、バッフル２６によって定められる同心流路部分に対応する同心セグメント３３で構成されている。セグメント３３は、固定されていないバッフル端部の先端に位置していてバッフル２６にかかっている。その後、後側壁セグメント３３はバッフル２６に溶接される。溶接後、前面部２１を、溶化アニール処理をして、析出硬化する。
【先行技術文献】
【特許文献】
【００２８】
【特許文献１】ＵＳ−Ａ−４，８８７，９６２
【符号の説明】
【００２９】
１…バーナー
２…中央通路
３…内壁
４…排出口
５…外壁
６…同軸通路
７…排出端部
８…隆起部分
９…円錐状端部
１０…環状すき間
１１…接続部
１２…開口部
１４…冷却ジャケット
【図１】
0005733978.tif 000002
【図２】
0005733978.tif 000003
【図３】
0005733978.tif 000004